(57)【要約】【課題】  ゴミ箱等の内部に装着した不安定なゴミ袋等が、ゴミ投入時等に移動・変形しないように、ゴミ袋等を拡げたままで固定でき、脱着が容易で、多様な容器に対応でき、見た目も良いゴミ袋等留め具を提供すること。  ゴミ箱等の内部に装着した不安定なゴミ袋・ネットを拡げた状態でゴミ箱等に保持させると共に、ゴミ袋等を拡げるための留め具の脚にゴミ等が付着しない様な留め具や容器を提供すること。【解決手段】  ゴミ箱等の内部に装着した不安定なゴミ袋等を拡げた状態で保持させる留め具を、ゴミ袋等を拡げるための留め具の脚にゴミが付着しない様、脚をはめ込むためのひだ状溝又は切れ込みを持つ専用容器と組み合わせることで、留め具の維持・脱着を容易にした、留め具付きゴミ容器を提供すること。 【選択図】  図３２
2008063138.tif 000002
【特許請求の範囲】
【請求項１】
円柱型ゴミ箱と角柱型ゴミ箱、斜め切り口型ゴミ箱に対応する３タイプがあり、それぞれバンドとともに二つ折りにして、ゴミ袋の上部を挟んでゴミ箱の上縁に固定するための数種類・複数のグリップ部分と、当該グリップの下部又は、完全収納型はグリップ表面に取り付けられ、ゴミ袋を下方向に拡げて固定するための伸縮・角度調整可能なポ−ルバ−部分、各グリップ部分を繋ぎ、グリップ部分と一緒に２つ折りにすることで、又はグリップの上下でごみ箱の裏表用に２つに分かれ、ゴミ袋を挟んでゴミ箱の上縁に固定する弾性部材から成る伸縮可能な複数のバンド部分から構成され、様々なサイズ・形状のゴミ箱に、ゴミ袋を保持することを特徴とするゴミ箱用ゴミ袋留め具。
前記グリップは本品の使用において、円柱形対応型、角柱型対応型、斜め切り口型対応型共に数種類のグリップを様々に組み合わせて用いられ、いずれもバンドとグリップは着脱可能であり、前記バンドは長さの調整が可能であり、前記ポ−ルバ−部分はグリップ下部との脱着が可能な台座と本体等からなり、完全収納型はスライド式によりグリップ表面と着脱可能な丸形ホルダ−と本体等からなり、ポ−ルバ−本体は伸縮も可能且つその先端は袋を破損しないよう丸みを帯びていることを特徴とする、ゴミ箱用ゴミ袋留め具。
【請求項２】
請求項１の留め具の、ポ−ルバ−によるゴミ袋保持の考えを更に発展させ、その構造自体は簡略化させたゴミ袋留め具と本体から成るゴミ箱であり、ゴミ箱本体の側面にひだ状の溝又は切れ込みを持ち、ゴミ箱にゴミ袋をセットした後、そこに棒状の複数の脚の付いたゴミ袋留め具を上から差し込み、脚を袋ごと溝又は切れ込みにはめ込んで固定する方式の留め具とゴミ箱本体、及び専用蓋。
【請求項３】
請求項１の留め具の、ポ−ルバ−によるゴミ袋保持の考えを更に発展させ、台所用の三角コ−ナ−に応用し、その構造自体は簡略化させたゴミネット留め具他オプションと本体から成る三角コ−ナ−であり、三角コ−ナ−本体の側面にひだ状の溝又は切れ込みを持ち、三角コ−ナ−にゴミネットをセットした後、そこに棒状の複数の脚の付いたゴミネット留め具を上から差し込み、脚をネットごと溝又は切れ込みにはめ込んで固定する方式の留め具他オプションと三角コ−ナ−本体。
【請求項４】
請求項１の留め具の機能はそのままに、構造を簡略化してコストをさげた固定器・バンド等一体型のゴミ箱用ゴミ袋留め具。
【発明の詳細な説明】
【技術分野】
【０００１】
請求項１は、ゴミ箱用ゴミ袋留め具、容易に装着でき、伸縮バンド（他、弾性部材）と調整バ−により、多様なサイズのゴミ箱に対応でき、ゴミ袋を許容量一杯に拡げて固定することが出来、蓋付きのものにも対応しうるゴミ袋留め具に関するものである。
【０００２】
請求項２は、ゴミ袋留め具とワンセットになったゴミ箱であり、留め具を装着することによりゴミ袋を拡げた状態で固定でき、しかも箱に付けられたひだ状溝又は切れ込みに袋ごと脚をはめ込むことにより留め具の脚を汚さず、ゴミを留め具に付着させること無く、留め具をゴミ箱本体から容易に脱着出来る様にした、留め具・専用蓋とワンセットのゴミ箱に関するものである。
【０００３】
請求項３は、ゴミネット留め具とワンセットになった台所用三角コ−ナ−であり、留め具を装着することによりゴミネットを拡げた状態で固定でき、しかも三角コ−ナ−に付けられたひだ状溝又は切れ込みにネットごと脚をはめ込むことにより留め具の脚を汚さず、生ゴミを留め具に付着させること無く、留め具を本体から容易に脱着できる様にした、留め具とワンセットの三角コ−ナ−に関するものである。
【０００４】
請求項４は、グリップ・バンド部分を一体化することにより請求項１を更に簡略化し、低コストで提供できる様にしたゴミ箱用ゴミ袋留め具である。
【背景技術】
【０００５】
請求項１・４に関しては、一般にゴミ箱は、内容物によりその内部が汚れないようにビニ−ル製等の袋を入れて使用されることが多い。しかしこれをそのまま入れたのでは、ゴミを投入する際、上部が剥がれたりずり落ちてきたりすることが考えられる。既存にもゴミ袋を保持する器具は多数見受けられるが、使うゴミ容器の種類・大きさを制約されたり、装着に手間取ったり、或いは見た目も良くなく、またあくまで袋の上部分のみを固定しようとするもので、袋を下方向にも拡げて固定するタイプのものはなかった。また、蓋付きゴミ箱に対応出来るものは、箱に付属の専用のもの以外ほとんど皆無と言って良かった。
特開２００２−１６７００４は、複数の穴の開いたバンドを用いこれと幾つかの留め具で袋をゴミ箱の上縁に固定しようとするものだが、あくまで袋の上部分を押さえるものであり下に拡げた状態で固定することは出来ない。また、調整に手間も掛かるし、バンドに開いた穴によって調整するため調整段階がその数カ所のポイントに限られ、微妙な調整は出来ない。
実開平６−２７７０２、実開平６−２７７０３は、口が丸みを帯びたもしくは角形の洗濯挟みのようなクリップでゴミ袋をゴミ箱の縁に留めようとするものである。装着は簡単であるが、単にクリップで留めるだけなので、袋のほんの一部しか固定出来ず、ゴミ袋の縁が剥き出しで見た目も良くない。蓋付きには勿論対応できない。
実開平６−６７４０６は、逆Ｕ字型をした蛇腹状のホルダ−を上から被せることでゴミ袋をゴミ箱の縁に固定しようとするものである。装着は簡単そうに見えるが、先ずひだの部分や内部等に汚れが付着し溜まり易いのではないかと思われる。しかも形状からして、洗いにくい。蛇腹剥き出しの外観は、色彩や表面のデザインにもよるが、好き嫌いの分かれるところであろう。これもやはりゴミ袋の上部のみ押さえることしか考えられていない。蓋付きにも対応出来ない。ゴミを投入した時の、ゴミ袋の安定性にも不安が残る。
【０００６】
請求項２に関しては、例えゴミ袋を下方向に拡げた状態で固定出来る留め具を用意したとしても、ゴミ袋を外側から引っ張る様にしたのでは装着時に手間が掛かる。
内側から脚等の固定具でゴミ袋をゴミ箱の内壁に固定するタイプの最大の課題は、ゴミ投入後にゴミによる留め具自体の汚れ、更には取り外し時にゴミが留め具の脚（請求項１のポ−ルバ−等）に付着して一緒に出てしまう等が考えられた。
実開昭６１−７５４０３等はまさにこの課題を残したままであり、このタイプのものでは留め具自体がゴミ等で汚れてしまうし、取り外し時には図面の固定器の固定脚にゴミが付着してゴミが一緒に外に出てしまう等、特に商品の性質上、その使用に際しては頻繁にゴミ袋等を取り替える必要があることが想定されるため、面倒である。
【０００７】
請求項３に関しては、三角コ−ナ−に付いては様々な種類のものが出ているが、既存の安価な三角コ−ナ−用ネットを用いて三角コ−ナ−の機能を容易に最大限に発揮出来るタイプのものは無かった。
【特許文献１】特開２００２−１６７００４
【特許文献２】実開平６−２７７０２
【特許文献３】実開平６−２７７０３
【特許文献４】実開平６−６７４０６
【特許文献５】実開昭６１−７５４０３
【発明の開示】
【発明が解決しようとする課題】
【０００８】
そこで請求項１・４においては、これらの課題、即ち、
日常の使用にほとんど支障をきたさない位、脱着がスピ−ディ且つ容易に行なえること。剥き出しのゴミ袋上部を目立たなくし、また本体自体のデザイン性も考え、見た目も良くすること。
ゴミ袋の上部のみを固定するのではなく、下方向にも引き伸ばして固定することによりゴミの投入を更に行ない易くすること。
多様な形状・サイズのゴミ箱に対応出来ること。
蓋付きのごみ箱にも対応しうること。  
等の５つの課題を同時に解決し、ス−パ−のポリ買い物袋や自治体の指定袋等各種のゴミ袋を、企業や家庭等で使うゴミ箱に装着し保持するゴミ箱用ゴミ袋留め具を提供することを目的とするものである。
【０００９】
請求項２においては、請求項１・４の機能に加え、ひだ状溝又は切れ込みの付いた専用ゴミ箱と組合わせることによりゴミ袋留め具の脚をゴミにより汚すこと無く、更に容易に留め具をゴミ箱本体から脱着出来るゴミ袋留め具と専用ゴミ箱を提供することを目的とするものである。
【００１０】
請求項３においては、ゴミネット留め具と、ひだ状溝又は切れ込みの付いた専用三角コ−ナ−を組合わせることにより、既存の三角コ−ナ−用ネット等を拡げた状態で三角コ−ナ−に装着でき、しかも留め具の脚を汚すこと無く、留め具を三角コ−ナ−本体から容易に脱着できるゴミネット留め具及び専用三角コ−ナ−を提供することを目的とするものである。
【課題を解決するための手段】
【００１１】
請求項１の実施形態によると、ゴミ袋の上部は、真中で折り曲げた状態の複数のグリップとバンドにより挟み込まれる形でゴミ箱の縁に固定される。
ゴミ袋の下方は、グリップから伸びたバ−によってゴミ箱の内壁に押しつけられて固定されるため、ゴミ袋は下方向に拡げられた状態で保持される。
更に蓋付きゴミ箱の場合、蓋の縁をグリップ上部の爪で押さえられるため、本品を装着したままでゴミ箱に蓋をすることが可能となる。
バンドの表面は、色彩豊かに、様々な絵や文字等でデザインされることで見た目も美しくなる。
【００１２】
請求項２の実施形態によると、装着されたゴミ袋の上部は留め具のバンドにより挟み込まれる形でゴミ箱の縁に固定される。
ゴミ袋の下方は、留め具の脚によってゴミ箱の内壁に押しつけられ、更にその脚はゴミ箱本体に付けられたひだ状溝又は切れ込みにゴミ袋ごとはめ込まれ、この溝又は切れ込みは普段は閉じた状態にあり、留め具の脚はひだ状溝又は切れ込みによって投入されたゴミと遮断されるため、当該脚はゴミと直接接触することが無く、脚にゴミが付着すること無く留め具自体のゴミ箱本体からの引き抜きも容易である。
【００１３】
請求項３の実施形態によると、装着されたゴミネットの上部は留め具の上枠により挟み込まれる形で三角コ−ナ−の縁に固定される。
ゴミネットの下方は、留め具の脚によって三角コ−ナ−の内壁に押しつけられ、更にその脚は三角コ−ナ−本体に付けられたひだ状溝又は切れ込みにゴミネットごとはめ込まれ、この溝又は切れ込みは普段は閉じた状態にあり、留め具の脚はひだ状溝又は切れ込みによって投入された生ゴミと遮断されるため、当該脚は生ゴミと直接接触することが無く、脚が汚れたり、留め具取り外し時に脚に生ゴミが付着して来ることも少ないため、留め具自体の三角コ−ナ−本体からの引き抜きも容易である。
【発明を実施するための最良の形態】
【００１４】
請求項１は、円柱型ゴミ箱対応型（中大型箱用と小型用）と、角柱ゴミ箱対応型、及び斜め切り口対応型（主に円柱型用）がある。
まず円柱形対応（中大型箱用）のものであるが、本体は下部に伸縮可能なポ−ルバ−の付いた５つのグリップ部分１・２・３及び４Ａ・４Ｂ）とそれらを繋ぐ伸縮可能なバンド５Ａ・５Ｂから成る。（図１Ａ）
（グリップ及びポ−ルバ−はプラスチック・樹脂等の素材を前提としているが、同様の機能が果たせればこれ以外の材質でも構わない。また、グリップ・バンドはゴミ箱の円周の長さに応じて継ぎ足すことも出来る。）  
更に小型のゴミ箱用に、着脱をより簡単にしたグリップ４本のタイプも考えられる。（図１Ｂ参照）これは上記のグリップ５本タイプから真中のグリップ１を除いたもので、両端を２つのグリップ２で繋がれた１本の外側バンドの下を、２つのグリップ３から真中に向かって伸びた２本の内側バンドが向き合って通っているものである。それぞれの内側バンドはグリップ２を貫いて、途中で双方の突起を外側バンドの表面に横に並んで開けられた縦横２つずつ計４つのスライド穴にはめ込まれている。
グリップ部分は上から見ると緩い弧を描いた形で丸型のゴミ箱の円周にフィットするようになっていて（図６Ａ）、真中から横に折り曲げ可能になっており、バンドと一緒にゴミ箱の縁においてゴミ袋の上部分を挟み込むことにより、ゴミ袋の上部をゴミ箱の縁に固定する。一番外側のグリップ３の縁は、スライドする際、ゴミ袋の縁がうまく滑り込んでくるよう斜めにカット（９）してある（図７参照）。またグリップ２とグリップ３は、通常使用しない時はマグネット等でくっついた状態になっている。（図１Ａ・Ｂ等）  
各グリップを折った部分（折り目）はゴミ箱の縁に被さって上向きとなるが、ここに調整可能な爪があり（図１０参照）、これに蓋付きゴミ箱の蓋を載せて押さえつけ、固定する。
更に、折り曲げたときゴミ箱外側に来るグリップの下部には、一度折り曲げて留めたグリップを再び開くためのグリップ外し用突起２１が付いている。
そして、これらのポ−ルバ−、蓋固定用爪、グリップ外し用突起等のパ−ツは各種グリップ共通のものである。
【００１５】
グリップを折り曲げて固定する方法としては、洗濯挟み方式（使用中は邪魔にならぬよう取っ手を外側に折り畳めるタイプ等）、Ｕ字型の強力な弾性部材をグリップ本体に上からはめ込んで押さえる方式等様々な方法が考えられるが、ここでは、グリップ内側の上部に付けられた突起１９を穴２０にワンタッチではめ込むスナップ方式を挙げておく。（図
【００１６】
グリップの下の部分に付いているポ−ルバ−は伸縮・角度調整可能であり（図３）、グリップとバンドでゴミ袋の上部を挟んでゴミ箱の縁に装着する際には、邪魔にならぬよう縮めて上に向けておくことが出来る。袋の上部を固定が完了したら、バ−を下に向けて袋の深さに合わせて伸ばし、袋を下方向に拡げた形で保持する。
バ−の先は袋を破らないように丸くなっており（図４Ｂ）、また外側に緩やかに膨らんでいるので（同図）袋の下部を箱の内壁（または底）にぴたっと固定するとともに、引き抜く際、内容物が引っかからないようになっている。また、バ−は何も力を加えない時はグリップよりも若干外向きになるようになっており、この弾性によって袋を箱の内壁に押しつけることになる。丸型をしたバ−の頭部は、その両端を押さえ具との間で上下左右に動かすことで、その角度を自在に調整することが出来る。（図３）
当該バ−とグリップ本体との接続は、脱着可能なねじ込み方式（図４Ａ）である。底の浅いゴミ箱やゴミ袋に本品を使用する場合は、当該バ−本体を土台（押さえ具）ごと外して使うことも考えられる。（これらは、同様の機能を持つものならば特にその形状・方式は問わない。）
【００１７】
各グリップを繋ぐバンド５Ａ・５Ｂであるが、弾性素材で出来ていて、２枚重ねになっている。外側のバンドにはスライドさせるための溝状の穴が開いていて、内側のバンドに付いているボタン部分をここにスライドさせることで長さを調整させる。（図５）
（同様の調整機能は、他の方法でも考えられる。）
ボタンの直径は溝の縦径より大きくなっており外れないようになっている。また、外側バンドの縦幅の方が内側バンドの縦幅より大きくなっている。これはグリップ２固定時に、内側バンドをスライドさせるためである。（この項の下２行参照。）
グリップ５本タイプでは、外側バンド（スライド穴２つタイプ）はグリップ１とグリップ２を繋ぎ、内側バンドはグリップ３から伸びて２を貫きその片方の先端は、途中でボタンとスライド溝で留めていることにより他のグリップには繋がっていない。
従って長さが調整出来るのはグリップ２とグリップ３の間だけであり、グリップ１とグリップ２の間はバンドの両端が両グリップに固定されているため長さの調整は出来ない。  グリップ１・２間を固定することで、装着をより素早く安定して行なえるようにした。  グリップ２を留める際、押さえるのは外側バンドの下の部分だけで真中はフリ−なのでグリップ２を留めた状態でも、内側バンドは自由にスライドする。（図１０）
グリップ４本タイプでは、外側バンド５Ｃ（スライド穴４つタイプ）は２つのグリップ２を繋いでおり、２つのグリップ３から伸びた内側バンド５Ｂがグリップ２を通り抜け、向かい合った形で５Ｃの下を通っている。（図１Ｂ）
【００１８】
装着の手順であるが、
先ずゴミ袋をゴミ箱内部に入れ、袋の縁を伸ばして縁の所で外側に折る。
グリップ５本タイプでは、グリップ１をバンドごと折り曲げて、袋の縁の一部を挟み、箱の縁に留めて固定する。
左右のグリップ２を両手でバンドごと折り曲げ、袋の縁を挟み込んで箱の縁に固定する。
グリップ４本タイプでは、上記の作業は省略し、左右のグリップ２を両手でバンドごと折り曲げ、袋の縁を挟み込んで箱の縁に固定する作業を行なった後すぐに下の作業に移る。
左右のグリップ３をグリップ２から離し、３を摘んだままゴミ箱の周囲の長さに合わせてバンドを折り曲げて、袋を挟んだ形でゴミ箱の縁の上をスライドさせて長さを調整し、頃合を見て袋の縁を挟んで箱の縁に固定する。なおこの作業の間は、下部のバーは邪魔にならないよう、短く縮めて上方向に曲げておく。袋の上部を固定したところで、バ−４Ａを下方向に向けて袋の深さに合わせて伸ばし、先端の丸い部分８Ｂで袋を  ゴミ箱の内壁に押しつけて固定する。
蓋付きの場合は、グリップ上の爪１０を調整し、蓋を載せ縁を挟んで固定する。
（図９参照）
【００１９】
次に角柱型ゴミ箱対応型ゴミ袋留め具は、蓋留め爪・下部に伸縮可能なポ−ルバ−４Ａ・Ｂを持つ３つのグリップ（３が２つ、１１が１つ）と、それらを繋ぐ弾性素材の伸縮可能なバンド、及び真中のグリップ１１の２つのパ−ツを繋ぐ伸縮素材１４から成る。（図１２参照）
【００２０】
真中のグリップ１１はゴミ箱の角に装着する部分であるが、２つの本体パ−ツが伸縮素材１４で繋がっており自由に伸ばしたり折り曲げられ（図１３Ａ・Ｂ参照）、直角の角のみならず、丸みを帯びた角にも取り付けることが出来る。（図１６Ａ・Ｂ参照）
各グリップをバンドとともに折り曲げ、ゴミ袋の縁をゴミ箱の縁に挟み込んで固定する。３つのグリップは伸縮可能な２組のバンドで繋がっている。２枚重ねで、外側のバンドの溝に内側のバンドの突起ボタンをスライドさせて長さを調整する。
また、２つのパ−ツに分かれた１１は、それぞれの下部にネジ穴１２を持っており、状況に応じてポ−ルバ−のネジ１５を付け替えることが出来る。
【００２１】
装着の手順であるが、先ずグリップ１１とバンドの下半分でゴミ袋をゴミ箱の内壁に押しつけながら、ゴミ箱の角の形状に合わせて、１１を縦に折り曲げたり伸ばしたりして調整し、１１とバンドの上半分をゴミ箱の外側に折り曲げて袋の縁を挟み（バンド自体はこの時点では片端しか固定されない）ゴミ箱の角に装着する。
片端が固定されたところでグリップ３を摘まんで引っ張り、バンドをスライドさせて長さを調整する。頃合を見て３で袋の縁を挟んで箱の縁に固定する。
作業中、邪魔にならないよう縮めて上向きにしていたバ−を下に向け、袋の深さに合わせて伸ばし、先端の丸い部分で袋を箱の内壁に押しつけて固定する。
【００２２】
そして斜め切り口対応型ゴミ袋留め具は、蓋留め爪・下部に伸縮可能なポ−ルバ−４Ａ・Ｂを持つ３つのグリップ（３Ｂが２つ、１１が１つ）と、それらを繋ぐ弾性素材の伸縮可能なバンド、及び真中のグリップ１１の２つのパ−ツを繋ぐ伸縮素材１４から成る。
グリップ１１は角柱対応型と同じものである。グリップ３Ｂは２つの本体パ−ツが繋がっていて、斜めの縁に対応するため、グリップ本体が真中から上下にスライドするようになっている。これは２つのグリップパ−ツ接触側面に設けられた、対になった溝と突起（スライド機能を持たせる仕組みは、他にも様々なものが考えられる。）を組み合わせてスライドさせるものである。本品を２つ組み合わせて使用するときは、上側に取り付けたものの３Ｂのグリップパ−ツの端は下にスライドさせ、下側に取り付けたものの３Ｂのグリップパ−ツの端は上にスライドさせて使う。（図１９）
【００２３】
装着の手順としては、先ず角柱ゴミ箱の角の形状に合わせて１１を真中から曲げ、ゴミ袋の上部を挟み込んでバンドごと折り畳み、ゴミ箱の角に留める。
３Ｂを伸ばしてゴミ箱の縁の長さに合わせ、更にゴミ箱縁の角度に合わせて端側のグリップパ−ツを上下にスライドさせ、２つのパ−ツを留める。（図１９）
【００２４】
各グリップに共通の付属バ−は、前記に掲げたグリップ下部装着型の他、グリップの表面にグリップ収納ホルダ−を取り付けた完全収納型も考えられる。（図２０、２１等）
これは、折り曲げた際、ゴミ箱内側になるグリップ表面に筒形の、縮めた状態のポ−ルバ−を完全に収納できるホルダ−を取り付けるタイプであり、ホルダ−自体も角度を調整したり、グリップから着脱することが可能なものである。またごみが溜まった際、ホルダ−からポ−ルバ−本体を取り外して、ポ−ルバ−だけ先に引き抜くことも出来る。
【００２５】
請求項２は、請求項１の留め具の、ポ−ルバ−によるゴミ袋保持の考えを更に発展させ、その構造自体は簡略化させた留め具と本体とワンセットのゴミ箱であり、ゴミ箱本体の側面に複数のひだ状の溝（図２６Ａ）又は切れ込み（図２７）を持ち、ゴミ箱にゴミ袋をセットした後、そこにゴミ箱本体のひだ状溝又は切れ込みと同数の、棒状の脚の付いたゴミ袋留め具本体を上から差し込み、先ずバンド部分を二つ折りにしてゴミ袋の上部を箱の縁に固定する。差し込んだ後は、棒状の脚がゴミ袋を引き伸ばした状態で固定する機能を持ち、留め具の脚とゴミ箱本体の溝でゴミ袋を挟み込む形で、脚を溝にはめ込む（図２８Ａ）。ひだ状の溝のはめ込み部分は、上から見ると、普段は閉じた形となっていて、脚をはめ込んだ後は、ゴミ箱に入れたゴミが脚と直接接触することが無く（図２８Ｂ）、脚も汚れにくく、またゴミが溜まって袋を取り替える際、ゴミが脚に付着して来ないので、留め具ごと脚を箱から引き抜くのも容易である。溝のひだ自体、簡単に指先で開くので掃除もし易い。
このひだの部分の大きさは、留め具の脚の周囲の大きさに対し若干余裕を見ておくと引き抜きが更に簡単である。
更にひだの脚をはめ込む入り口の溝の部分を大きく取り、オプションとして閉じた形のゴム等の一層弾性に富んだ素材を用いたバッキン（図２８Ｃ）等を、取り替えのきく消耗品として溝の部分に取り付ける様にすれば、より留め具の脚をはめ込み易く、掃除も簡単になる。
切れ込みタイプのものは、同様にゴミ袋を挟み込んだ状態で脚をゴミ箱本体の切れ込みにはめ込んで外へ出す。上から見ると、ゴミ袋の一部を、脚がゴミ箱本体に入れられた切れ込みからゴミ箱の外に押し出した形になる。この場合も切れ込み部分は、上から見た場合、普段閉じた形となっているので、留め具の脚が投入されたゴミで汚れにくく、ゴミが脚に付着して来ないので引き抜くのも容易である。ゴミ袋の一部と脚が外側から丸見えなので見た目がやや悪くなるが、こちらの方が簡単なのでコストは安価で済む。
いずれも専用の蓋を用意し（図２６Ｂ）、ゴミを投入する際には内側の蓋を上下に倒して、開いて行う（図２６Ｃ）。
【００２６】
請求項３は、上記請求項２の留め具セットゴミ箱とほぼ同じ考え方による、台所用の留め具等と本体ワンセットの三角コ−ナ−であり、三角コ−ナ−本体には複数のひだ状の溝３７Ａ又は切れ込み３９等が付けられ、本体にゴミネットを被せて装着した上から、ひだ状溝又は切れ込みと同数の脚３５の付いた留め具を上から差し込み、先ず留め具本体の上枠部分３４でネットの上部を三角コ−ナ−の縁に覆い被せる様にして固定する。この時、差し込まれた留め具の複数の脚がゴミネットを開いた状態で保持する機能を持つ。その後で留め具の脚全てをゴミネットの一部を挟み込む形で、溝にはめ込む。（図３４Ａ、図３５）この脚の下先端部分はなるべく丸みを帯びて滑らかな形状の方が、ネットに引っかかりにくくスム−ズに作業が行なえる。（図３６）ひだ状の溝のはめ込み部分は、上から見ると、普段は閉じた形になっているので、ひだにはめ込まれた留め具の脚が三角コ−ナ−に投入された生ゴミと遮断され、直接、生ゴミと接触することが無く（図３４Ａ）、留め具の脚が汚れにくく、ネット交換の際にも生ゴミが脚に付着して来ないので、留め具を脚ごと引き抜き易い。溝のひだ自体、指先で簡単に開くので掃除はし易いが、より脚を入れ易いゴム等弾性に一層富んだ素材を用いたのパッキン３７Ｂを、取り替え可能な消耗品として脚をはめ込む溝の入り口に装着する方法も挙げられる。
切れ込みタイプも同様に、脚３５を切れ込み３９にゴミネットごとはめ込んで三角コ−ナ−の外側に出すことで（図３４Ｂ）、脚が直接生ゴミと接触すること無く、上記ひだ状溝付きタイプと同じ効果が期待出来る。（段落００２８参照のこと。）
【００２７】
更に、メンテナンスを容易に行なえる、着脱可能タイプの、三角コ−ナ−本体を支える脚（留め具の脚とは区別する）と兼用の、下からスライドして差し込むタイプのひだを持つ留め具付き三角コ−ナ−も考えられる（図３７）。このひだ４２は真中から下にスライドして外せる様になっているので（図３８）、留め具の脚を上方向に引っ張って外す時も一緒に付いて来ることが無い。ひだの内部が汚れた時には、真中から二つに別れて取り外すことで、掃除が容易に出来る。
【００２８】
いずれのタイプの三角コ−ナ−も、このひだの部分の大きさは、留め具の脚の周囲の大きさに対し若干余裕を見ておくと引き抜きが更に簡単である。切れ込みタイプのものは、同様にゴミネットを挟み込んだ状態で脚を三角コ−ナ−本体に入れられた切れ込みにはめ込む。上から見ると、ゴミネットの一部を、脚が切れ込みからゴミ箱の外に押し出した形になる。この場合も切れ込み部分は普段閉じた形となっているので、留め具の脚が生ゴミで汚れにくく、引き抜くのも容易である。ひだ状溝タイプのものに比べ、ネットと脚が外側から丸見えなので見た目がやや悪くなるが、こちらの方がコストは安価で済む。
【００２９】
請求項４は、請求項１のゴミ箱用ゴミ袋留め具を更に簡略化し、使い易くなお且つ低コストで同機能を実現したゴミ箱用ゴミ袋留め具である。装着するゴミ箱の形状を選ばないと言う請求項１の商品の特徴をそのまま受け継いでいる。
両端がハサミの様な形をしていてそのまますっぽり、袋の上部をゴミ箱の縁に挟み込んで固定するタイプ（図３９）と、両端がグリップになっていてそのまま袋の上部をゴミ箱の縁に挟んで固定するタイプ（図４０）が考えられる。
いずれもバンドは弾性素材を使用しており、その原理は請求項１のゴミ箱用ゴミ袋留め具と同様のスライド式で（実際にはバンドの裏側の表面・ゴミ箱の反対側に付く）、２枚のバンドの表面に設けられた突起とスライド用溝４５を使ってバンド自体の長さの調整が可能であり、バンド上部には複数の小クリップ４４が付いていて、バンド両端の押さえ具（４３、４６）だけでは無くバンド全体でゴミ袋をゴミ箱に固定しようとするものである。（図４２、４３）
バンド両端のはさみ状押さえ具又はグリップがバンドと一体になっているので、装着が容易で低コストが実現出来る。
【図面の簡単な説明】
【００３０】
【図１Ａ】円柱型ゴミ箱対応型ゴミ袋留め具（中大型箱用・グリップ５本タイプ）のグリップとバンドを開いた状態の全体像。ここでは、グリップ２・３Ａはくっついた状態である。
【図１Ｂ】円柱型ゴミ箱対応型ゴミ袋留め具（小型箱用・グリップ４本タイプ）のグリップとバンドを開いた状態の全体像。ここでは、グリップ２・３Ａはくっついた状態である。
【図２Ａ】円柱型ゴミ箱対応型ゴミ袋留め具（中大型箱用・グリップ５本タイプ）の、グリップとバンドを折り畳み、グリップ２からグリップ３を引き離してバンドを伸ばした状態の簡略図。
【図２Ｂ】円柱型ゴミ箱対応型ゴミ袋留め具（小型箱用・グリップ４本タイプ）の、グリップとバンドを折り畳み、グリップ２からグリップ３を引き離してバンドを伸ばした状態の間略図。
【図３】バ−の上下角度調整の図。
【図４Ａ】球体の形をした、押さえ具にはめこまれたバ−の頭部図。上下左右に動かすことで、バ−本体の角度を自由に変えることが出来る。
【図４Ｂ】丸みを帯びた、バ−の下先端図。引き抜き時にゴミが引っかからぬよう、外側に膨らんでいる。
【図５】重なり合ったバンド５Ａと５Ｂが、スライドする状態図。
【図６】円柱型ゴミ箱の縁にフィットさせるため、弓形に曲がったグリップ。（上から見た図）
【図７】グリップ３Ａ・Ｂの片端に付けられた、斜めカットをグリップ下側から見た図。  この斜めカットを利用して、ゴミ箱とゴミ袋の縁を引き込んでいる所。
【図８】折り曲げたグリップを留めるための、グリップ内側上部に付けられた突起と穴の図。
【図９】グリップとバンドによって折り込まれ、ゴミ箱の上縁に固定されたゴミ袋を横から  見た断面図。上にゴミ箱の蓋を載せた状態。
【図１０】グリップ２を留めた状態でも、押さえられているのはバンド５Ａの下部分のみで真ん中はフリ−なので、その中を折り畳まれた状態のバンド５Ｂが自在にスライドする状態図。
【図１１】角柱型ゴミ箱用のグリップ（上から見た断面図）
【図１２】角柱型ゴミ箱対応型ゴミ袋留め具の、グリップとバンドを開いた状態の全体像。（下部ポ−ルバ−本体部分等、各種グリップ共通の一部パ−ツ省略。）
【図１３Ａ】グリップ１１を構成する左右対称の２つのパ−ツを繋ぐ伸縮素材を真っ直ぐに引き伸ばした状態図。
【図１３Ｂ】グリップ１１を構成する左右対称の２つのパ−ツを繋ぐ伸縮素材を、斜め切り口ゴミ箱の縁に合わせ、扇形に斜めに伸ばした状態図。
【図１４】角柱型ゴミ箱対応型ゴミ袋留め具の、グリップとバンドを折り畳み、グリップ２とグリップ３の間のバンドを引き伸ばした状態図。
【図１５Ａ】円柱形ゴミ箱対応型（中大型箱用）ゴミ袋留め具を、円柱形のゴミ箱に装着した状態図。（グリップ２・３が、くっついた状態。ゴミ袋省略。）
【図１５Ｂ】円柱型ゴミ箱対応型（中大型箱用）、留め具を装着した後、グリップ２と３を引き離してバンドを伸ばした状態図。（ゴミ袋省略。）
【図１５Ｃ】円柱型ゴミ箱対応型（小型用箱）、留め具を装着した後、グリップ２と３を引き離してバンドを伸ばした状態図。（ゴミ袋省略。）
【図１６Ａ】角柱型ゴミ箱対応型ゴミ袋留め具を、角柱型のゴミ箱に装着した状態図。（バンド縮めた状態、ゴミ袋省略。）
【図１６Ｂ】角柱型ゴミ箱対応型ゴミ袋留め具を、角柱型のゴミ箱に装着した状態図。（バンド伸ばした状態、ゴミ袋省略。）
【図１７】斜め切り口型ゴミ箱対応型ゴミ袋留め具の、グリップとバンドを開いた状態の全体図。（下部ポ−ルバ−本体部分等、各種グリップ共通の一部パ−ツ省略。）
【図１８】斜め切り口型ゴミ箱対応型ゴミ袋留め具の、グリップとバンドを折り畳み、グリップ１１とグリップ３Ｂの間のバンドを引き伸ばし、グリップ３Ｂのグリップパ−ツの片側を上下にスライドさせている状態図。
【図１９】実際に、斜め切り口型ゴミ箱対応型ゴミ袋留め具を、ゴミ箱に装着した概観図。（ゴミ袋省略。）
【図２０】完全収納型ポ−ルバ−の、グリップ装着図。（グリップオ−プン状態）
【図２１】完全収納型ポ−ルバ−を、ホルダ−から引き伸ばした状態。（ホルダ−内に完全に入って引き出すことが出来なくなることを防ぐため、収納時でも先端が少し出るようになっている・図２０も参照。）
【図２２】ホルダ−を開いて、ポ−ルバ−本体を取り出した図。（ポ−ルバ−本体のグリップの留め方は、他の方法も考えられる。）
【図２３】ホルダ−の、グリップとの角度調整の図。（図は蝶番を使っているが、他の方法も考えられる。）
【図２４】完全収納型ポ−ルバ−付きグリップを、ゴミ箱の縁に留めた概略図。
【図２５】完全収納型ポ−ルバ−付きグリップを、上から見た図。（図のグリップは、円柱型ゴミ箱対応型（斜め切り口ゴミ箱含む）のものである。）
【図２６Ａ】ひだ状溝付きゴミ箱全体図。
【図２６Ｂ】ひだ状溝付きゴミ箱専用蓋（斜め上から見た図）
【図２６Ｃ】ひだ状溝付きゴミ箱専用蓋（蓋を開いて真横から見た図）
【図２７】切れ込み付きゴミ箱全体図。
【図２８Ａ】ひだに袋ごと脚をはめ込んでいる状態図。（斜め上から見た図）
【図２８Ｂ】ひだに袋ごと脚をはめ込んでいる状態図。（真上から見た図）
【図２８Ｃ】ひだ専用パッキンをはめ込んでいる状態図。
【図２９】バンド状脚付き留め具全体図。
【図３０】バンドを開いた状態図。
【図３１】三角コ−ナ−用ネット押さえ具全体図。
【図３２】ひだ状溝付き三角コ−ナ−全体図。
【図３３】切れ込み付き三角コ−ナ−全体図。
【図３４Ａ】ひだにネットごと脚をはめ込んでいる状態図。
【図３４Ｂ】切れ込みにネットごと足をはめ込んでいる状態図。
【図３５Ａ】ひだにネットごと脚をはめ込もうとする様子図。
【図３５Ｂ】ひだ専用パッキンをはめ込んでいる状態図。（三角コーナー用）
【図３６】脚の先端図。
【図３７】ひだ状溝着脱可能型三角コ−ナ−全体図。
【図３８】スライド方式で下方向にひだ状溝を取り外す説明図。
【図３９】簡易型ゴミ箱用ゴミ袋留め具（両端はさみ型）
【図４０】簡易型ゴミ箱用ゴミ袋留め具（両端グリップ型）
【図４１】図４０を横から見た図。
【図４２】図３９をゴミ箱に装着した図。（ゴミ袋省略）
【図４３】図４０をゴミ箱に装着した図。（ゴミ袋省略）
【符号の説明】
【００３１】
１    両端外側バンド直結グリップ本体。
２    外側バンド直結・内側バンド通過用グリップ本体。
３Ａ  内側バンド直結・伸縮調整用グリップ本体。
３Ｂ  内側バンド直結・伸縮調整用ダブルグリップ本体（上下スライド機能付き）
４Ａ  バ−本体。
４Ｂ  押さえ具。
５Ａ  ２枚重ねの外側バンド。（スライド穴２つ付き）
５Ｂ  ２枚重ねの内側バンド。
５Ｃ  ２枚重ねの外側バンド（小型ゴミ箱対応型用・スライド穴４つ付き））
６    スライド用長穴。
７    スライド用ボタン状突起。
８Ａ  バ−の頭部先端球体部分
８Ｂ  バ−の下先端部分。
９    斜めのカット。
１０  蓋固定用爪。
１１  伸縮素材付きグリップ本体。
１２  押さえ具付け替え用ネジ穴
１３  ２枚重ねの外側バンド（延長スライド穴２つ付き）
１４  伸縮素材。
１５  押さえ具着脱用ネジ
１６  バ−の頭はめこみ用枠
１７  グリップ２により、下部分のみ留められた外側バンド
１８Ａゴミ袋の縁
１８Ｂゴミ箱の縁
１８Ｃゴミ箱の蓋
１９  グリップ留め用突起
２０  グリップ留め用穴
２１  グリップ外し用突起
２２  折り目部分
２３  マグネット
２４  ホルダ−
２５  ポ−ルバ−先端
２６  各種グリップ本体
２７  ポ−ルバ−本体
２８  ゴミ箱本体
２９  脚と袋をはめ込むひだ
３０  脚と袋をはめ込むための溝
３１  脚と袋をはめ込む切れ込み
３２  バンド状留め具本体（バンド）
３３  バンド状留め具本体（脚）
３４  三角コ−ナ−用留め具本体（上枠）
３５  三角コ−ナ−用留め具本体（脚）
３６  三角コ−ナ−本体
３７Ａ  脚とネットをはめ込むひだ
３７Ｂ  ひだ専用パッキン
３８  脚とネットをはめ込むための溝
３９  脚とネットをはめ込む切れ込み
４０Ａ  ゴミ袋
４０Ｂ  ゴミネット
４１  ひだ状溝着脱可能型三角コ−ナ−本体
４２  着脱可能ひだ状溝
４３  ゴミ袋固定部分（はさみタイプ）
４４  ゴミ袋押さえ用小クリップ
４５  長さ調整部分（実際にはバンドの裏側・ゴミ箱の外側に付く）
４６  ゴミ袋固定部分（グリップタイプ）
【図１Ａ】
2008063138.tif 000003
【図１Ｂ】
2008063138.tif 000004
【図２Ａ】
2008063138.tif 000005
【図２Ｂ】
2008063138.tif 000006
【図３】
2008063138.tif 000007
【図４Ａ】
2008063138.tif 000008
【図４Ｂ】
2008063138.tif 000009
【図５】
2008063138.tif 000010
【図６】
2008063138.tif 000011
【図７】
2008063138.tif 000012
【図８】
2008063138.tif 000013
【図９】
2008063138.tif 000014
【図１０】
2008063138.tif 000015
【図１１】
2008063138.tif 000016
【図１２】
2008063138.tif 000017
【図１３Ａ】
2008063138.tif 000018
【図１３Ｂ】
2008063138.tif 000019
【図１４】
2008063138.tif 000020
【図１５Ａ】
2008063138.tif 000021
【図１５Ｂ】
2008063138.tif 000022
【図１５Ｃ】
2008063138.tif 000023
【図１６Ａ】
2008063138.tif 000024
【図１６Ｂ】
2008063138.tif 000025
【図１７】
2008063138.tif 000026
【図１８】
2008063138.tif 000027
【図１９】
2008063138.tif 000028
【図２０】
2008063138.tif 000029
【図２１】
2008063138.tif 000030
【図２２】
2008063138.tif 000031
【図２３】
2008063138.tif 000032
【図２４】
2008063138.tif 000033
【図２５】
2008063138.tif 000034
【図２６Ａ】
2008063138.tif 000035
【図２６Ｂ】
2008063138.tif 000036
【図２６Ｃ】
2008063138.tif 000037
【図２７】
2008063138.tif 000038
【図２８Ａ】
2008063138.tif 000039
【図２８Ｂ】
2008063138.tif 000040
【図２８Ｃ】
2008063138.tif 000041
【図２９】
2008063138.tif 000042
【図３０】
2008063138.tif 000043
【図３１】
2008063138.tif 000044
【図３２】
2008063138.tif 000045
【図３３】
2008063138.tif 000046
【図３４Ａ】
2008063138.tif 000047
【図３４Ｂ】
2008063138.tif 000048
【図３５Ａ】
2008063138.tif 000049
【図３５Ｂ】
2008063138.tif 000050
【図３６】
2008063138.tif 000051
【図３７】
2008063138.tif 000052
【図３８】
2008063138.tif 000053
【図３９】
2008063138.tif 000054
【図４０】
2008063138.tif 000055
【図４１】
2008063138.tif 000056
【図４２】
2008063138.tif 000057
【図４３】
2008063138.tif 000058